(57)【要約】【課題】糸巻本体２を巻き取り方向へ回転させる巻き取りばね２３の蓄勢又は弛緩を容易に行うことの可能な糸巻装置を提供する。【解決手段】ケース１内に回転可能に収納され巻き取りばね２３によって糸３の巻き取り回転方向へ付勢された糸巻本体２と、巻き取りばね２３の付勢力を調整するばねチャージ部４とを備え、このばねチャージ部４が、ケース１の外部に糸巻本体２と同心的にかつ回転可能に配置されて巻き取りばね２３を蓄勢させるチャージハンドル４２と、このチャージハンドル４２に支持軸４５ｃを介してシーソー運動可能に設けられて一端にチャージハンドル４２の指掛け孔４２ｂから露出した操作端部４５ａを有し他端に被係止部４５ｂを有するレバー４５と、被係止部４５ｂをケース１側へ向けて付勢するコイルスプリング４７と、ケース１に形成され被係止部４５ｂをその回転方向に対して最深部で掛合可能なスパイラル溝１１２とを備える。【選択図】図４
2006043800.tif 000002
【特許請求の範囲】
【請求項１】
ケース内に回転可能に収納され巻き取りばねによって糸の巻き取り回転方向へ付勢された糸巻本体と、前記巻き取りばねの付勢力を調整するばねチャージ部とを備え、このばねチャージ部が、前記ケースの外部に前記糸巻本体と同心的にかつ回転可能に配置されて前記巻き取りばねを蓄勢させるチャージハンドルと、このチャージハンドルにシーソー運動可能に設けられて一端に外部へ露出した操作端部を有し他端に被係止部を有するレバーと、前記被係止部を前記ケース側へ向けて付勢する弾性体と、前記ケースに形成され前記被係止部をその回転方向に対して掛合可能な係止部とを備えることを特徴とする糸巻装置。
【請求項２】
巻き取りばねが、糸巻本体内部に形成されたばね収納部内にあって、一端が前記糸巻本体側に固定されると共に、他端が、前記ばね収納部内に相対回転可能に配置されてチャージハンドルにより回転されるばね芯に固定され、前記ばね収納部と前記ばね芯との間に、パッキンを密接摺動可能に介在させたことを特徴とする請求項１に記載の糸巻装置。
【請求項３】
ケースにおける糸巻収納部の糸引き出し側に手指を挿入可能な環状のホルダが形成されたことを特徴とする請求項１又は２に記載の糸巻装置。
【発明の詳細な説明】
【技術分野】
【０００１】
本発明は、糸の張力によって線引きを行う墨壷等の線引き具や、糸張り具等における糸巻装置に関する。
【背景技術】
【０００２】
糸巻装置の一種として、従来から、例えば下記の特許文献１に開示された墨壷が知られている。
【特許文献１】特開２００２−３２１１７６
【０００３】
墨壷は、木工や建築における墨打ち作業で使用されるもので、ケース内に糸巻及び墨室が設けられ、糸巻に巻かれた糸が、墨汁を沁み込ませた墨汁浸透部材が充填された墨室内を通って、ケースの一端に形成された糸繰り出し口から外部へ繰り出され、糸の先端に、この糸を墨打ち起点に止着するためのかるこが繋着された構造を備える。糸巻には、これを糸の巻き取り方向へ回転させるための巻き取りばねが内蔵され、かつ前記巻き取りばねの付勢力を任意に調整するためのばねチャージ部が設けられている。したがって、墨打ち作業においては、まず、前記かるこを墨打ち起点に止着してから、ケースを移動させることによって糸を引き出すと、この糸には、墨室内を通る過程で、墨汁浸透部材との接触によって墨汁が付着するので、この糸に適当なテンションを与えた状態で、墨打ち対象面に向けて手指ではじくことによって、直線状の墨線を転写することができるのである。
【発明の開示】
【発明が解決しようとする課題】
【０００４】
墨壷等における従来の糸巻装置では、ばねチャージ部は、チャージハンドルと、このチャージハンドルに軸方向移動可能に挿通されると共にばねでケース側のスパイラル状の係止面に向けて付勢された係止ピンからなり、係止ピンが、前記係止面との係止位置へ変位した状態では、邪魔にならないように、チャージハンドルから突出しない構造となっている。しかし、チャージハンドルを巻き取りばねの蓄勢又は弛緩方向へ回転させるために係止ピンを摘むには、まずチャージハンドルを、係止ピンがスパイラル状の係止面を乗り上がる方向へ回転させることによって、係止ピンをチャージハンドルから突出させるといった作業が必要であった。しかも、係止ピンの内端がスパイラル状の係止面の最深部に掛合される構造上、手指で容易に摘むための十分な突出量や係止ピンのサイズを確保することが困難であった。そしてその結果、係止ピンを摘んでチャージハンドルを回転させることによる巻き取りばねの付勢力の調整作業が煩雑であった。
【０００５】
また、巻き取りばねは、糸巻本体の内周に一体的に取り付けられたばねケース内に収納され、一端が前記糸巻本体側に固定されると共に、他端が、前記ばねケースの内周に相対回転可能に配置されてチャージハンドルにより回転されるばね芯に固定されているが、糸巻本体とばねケースは、互いに嵌合により組み立てられており、ばねケースとばね芯の間は、その相対回転を許容するために僅かに隙間が存在している。このため、ばねケース内に、ダストや墨汁などが侵入しやすく、侵入したダストや墨汁などが固まると、巻き取りばねの弛緩動作が阻害され、ひいては糸巻本体の円滑な巻き取り動作が阻害されるおそれがあった。
【０００６】
また、ケースが必ずしも手で握りやすい形状とはいえず、使いやすさ等の観点から、ケースの形状を更に工夫する余地があった。
【０００７】
本発明は、以上のような点に鑑みてなされたものであって、その技術的課題は、糸巻本体を巻き取り方向へ回転させる巻き取りばねの蓄勢又は弛緩を容易に行うことの可能な糸巻装置を提供することにある。
【課題を解決するための手段】
【０００８】
上述した技術的課題を有効に解決するための手段として、請求項１の発明に係る糸巻装置は、ケース内に回転可能に収納され巻き取りばねによって糸の巻き取り回転方向へ付勢された糸巻本体と、前記巻き取りばねの付勢力を調整するばねチャージ部とを備え、このばねチャージ部が、前記ケースの外部に前記糸巻本体と同心的にかつ回転可能に配置されて前記巻き取りばねを蓄勢させるチャージハンドルと、このチャージハンドルにシーソー運動可能に設けられて一端に外部へ露出した操作端部を有し他端に被係止部を有するレバーと、前記被係止部を前記ケース側へ向けて付勢する弾性体と、前記ケースに形成され前記被係止部をその回転方向に対して掛合可能な係止部とを備えるものである。
【０００９】
すなわち、請求項１の発明に係る糸巻装置は、チャージハンドルに設けられたレバーを、その操作端部を手指で弾性体の付勢力に抗して変位させることにより揺動（シーソー運動）させれば、その被係止部がケースに形成された係止部から離れて掛合が解除されるので、チャージハンドルを巻き取りばねの蓄勢又は弛緩方向へ任意に回転することができる。また、レバーの操作端部から手指を離せば、このレバーは弾性体の付勢方向へ揺動して、その被係止部が、ばね弛緩方向へのチャージハンドルの回転に伴ってケースに形成された係止部と掛合されるので、その時点で、弛緩方向へのチャージハンドルの回転が阻止される。
【００１０】
請求項２の発明に係る糸巻装置は、請求項１に記載の構成において、巻き取りばねが、糸巻本体内部に形成されたばね収納部内にあって、一端が前記糸巻本体側に固定されると共に、他端が、前記ばね収納部内に相対回転可能に配置されてチャージハンドルにより回転されるばね芯に固定され、前記ばね収納部と前記ばね芯との間に、パッキンを密接摺動可能に介在させたものである。
【００１１】
すなわち、パッキンによって、ばね収納部とばね芯との相対回転を確保した状態で、ばね収納部内へのダスト等の侵入が防止されるので、巻き取りばねの弛緩動作が阻害されることがなく、したがって糸巻本体の円滑な巻き取り動作が確保される。
【００１２】
請求項３の発明に係る糸巻装置は、請求項１又は２に記載の構成において、ケースにおける糸巻収納部の糸引き出し側に手指を挿入可能な環状のホルダが形成されたものである。
【００１３】
すなわち、このような構成とすることによって、環状のホルダに手指（人差し指）を挿入した状態でケースを握ることによって、ケースを持ちやすくなる。このため、作業中に過って落とすおそれも少なくなり、糸の先端に糸止着具を取り付けた場合に、糸の巻き取りによって糸止着具が手元へ飛来するようなことがあっても、指がホルダによって保護されるので、安全性が向上する。
【発明の効果】
【００１４】
請求項１の発明に係る糸巻装置によれば、チャージハンドルに設けられたレバーの操作端部を手指で弾性体の付勢力に抗して変位させるだけで、チャージハンドルを巻き取りばねの蓄勢又は弛緩方向へ任意に回転することができるので、巻き取りばねの付勢力調整作業の煩雑さを解消して、使い勝手を著しく向上することができる。
【００１５】
請求項２の発明に係る糸巻装置によれば、請求項１による効果に加え、巻き取りばねの円滑な弛緩動作及びこれによる糸巻本体の円滑な巻き取り動作が確保される。
【００１６】
請求項３の発明に係る糸巻装置によれば、請求項１又は２による効果に加え、ケースを持ちやすくなるので、使いやすさ及び安全性が一層向上する。
【発明を実施するための最良の形態】
【００１７】
以下、本発明に係る糸巻装置を墨壷に適用した好ましい実施の形態について、図面を参照しながら説明する。図１は本発明の好ましい実施の形態を示す墨壷の一側面図、図２は他側面図、図３は図１におけるIII−Ｏ−III’線に沿って切断した断面図、図４は、要部の構造を示す断面図、図５は図３におけるＶ−Ｖ’線に沿って切断した断面図である。
【００１８】
これらの図に示されるように、本発明に係る糸巻装置としての墨壷は、ケース１と、このケース１内に回転可能に収納され巻き取りばね２３によって巻き取り回転方向へ付勢された糸巻本体２と、この糸巻本体２に巻回された糸３と、巻き取りばね２３の付勢力を調整するばねチャージ部４と、ケース１における後述の墨汁タンク１１Ｃに設けられたポンプ装置５とを備える。
【００１９】
ケース１は、図１、図２及び図５に示されるように、合成樹脂で成形されたケース本体１１と、トップ部材１２と、リテーナ１３からなり、ケース本体１１には、糸巻収納部１１Ａと、その前方（図１における右側）の糸案内部１１Ｂと、後方（図１における左側）の墨汁タンク１１Ｃと、手指を挿入可能な環状のホルダ１１Ｄが形成されている。
【００２０】
ケース本体１１は、糸案内部１１Ｂと墨汁タンク１１Ｃが、糸巻収納部１１Ａの両側で互いに鈍角をなすように延びており、その外観は、ホルダ１１Ｄに人差し指を挿入した状態で、墨汁タンク１１Ｃから糸巻収納部１１Ａにかけての部分を片手で握ることのできる形状となっている。
【００２１】
トップ部材１２は耐摩耗性に優れた合成樹脂材で成形されたものであって、糸案内部１１Ｂの先端に取り付けられ、その内周は糸繰り出し口１２ａとなっている。このトップ部材１２には、糸繰り出し口１２ａから引き出した糸３を相手材に押し付けるための糸押え１２ｂが形成されている。なお、ホルダ１１Ｄには、糸押え１２ｂの先端から引いた接線との接点に位置して、ゴム状弾性材料からなる滑り止め１１ａが取り付けられている。
【００２２】
図３及び図４に示されるように、リテーナ１３は、糸巻収納部１１Ａの開口部に、所定角度だけ回転させることによって互いに拘束又は釈放される掛合部１１ｂ，１３ａを介して着脱自在に設けられ、この糸巻収納部１１Ａ内に糸巻本体２を保持するものである。
【００２３】
糸巻本体２は、外周に糸３を巻回するボビン２１と、その一側に同心的に配置されると共に全周がボビン２１に一体的に溶着Ｗｄ又は接着剤で全周が接着されたばねケース２２と、このばねケース２２の内室であるばね収納部２２ａ内に収納されて糸巻本体２を糸３の巻き取り回転方向に付勢する巻き取りばね２３と、リテーナ１３の外側に配置された巻き取りハンドル２４とからなる。巻き取りハンドル２４は円盤状を呈するものであって、手指で回転操作するための複数の指掛け凹部２４ａが形成されており、また、巻き取りハンドル２４の軸心部は、リテーナ１３の内周に開設された軸孔１３ｂに挿通されたばねケース２２の中心軸２２ｂに、ビス２５を介して結合されている。そしてこれらの部材からなる糸巻本体２は、リテーナ１３を取り外すことによって、このリテーナ１３と共に糸巻収納部１１Ａから取り出すことができる。
【００２４】
ばねチャージ部４は、図３及び図４に示されるように、糸巻本体２のばねケース２２の内周に同心的かつ相対回転可能な状態に組み込まれたばね芯４１と、ケース本体１１におけるリテーナ１３と反対側の側壁１１１の外部にばね芯４１と同心的に配置された円盤状のチャージハンドル４２と、前記側壁１１１に開設された軸孔１１１ａに挿通されたチャージハンドル４２の中心軸４２ａに、ビス４４で固定されたクラッチ部材４３と、チャージハンドル４２に設けられたレバー４５とを備える。糸巻本体２におけるばね収納部２２ａに収納された巻き取りばね２３は、外周側の一端が糸巻本体２におけるボビン２１の筒状張り出し部２１ａに固定されると共に、内周側の他端が、ばね芯４１に固定されている。したがって、巻き取りばね２３は、糸巻本体２とばね芯４１の相対回転によって蓄勢又は弛緩するものである。
【００２５】
ばね芯４１の一端には、巻き取りばね２３が収納されたばね収納部２２ａをボビン２１の内周で塞ぐように存在する円盤状のクラッチ盤４１ａが形成されており、クラッチ部材４３は、ケース本体１１の側壁１１１との間に圧縮状態に配置されたコイルスプリング４６によってクラッチ盤４１ａに押し付けられ、このクラッチ盤４１ａに対して、巻き取りばね２３の蓄勢方向にのみ掛合するワンウェイクラッチを構成している。
【００２６】
ばねチャージ部４におけるレバー４５は、チャージハンドル４２とケース本体１１の側壁１１１との間に配置され、長手方向中間部分が、チャージハンドル４２に、その軸心と直交する方向へ延びる支持軸４５ｃを中心としてシーソー運動可能な状態に支持されている。レバー４５の一端には、チャージハンドル４２の円周方向一箇所に開設された指掛け孔４２ｂ内に露出した操作端部４５ａが形成されており、他端に、ケース本体１１の側壁１１１側へ向けて突出した被係止部４５ｂが形成されており、この被係止部４５ｂとチャージハンドル４２との間には、コイルスプリング４７が適宜圧縮状態で配置されている。なお、コイルスプリング４７は、請求項１に記載された弾性体に相当するものである。
【００２７】
一方、ケース本体１１の側壁１１１には、チャージハンドル４２をその中心軸４２ａの周りに回転させた時に、これと一体的に回転するレバー４５の被係止部４５ｂの軌跡と対応する円弧状に延び、糸巻本体２の巻き取り方向と反対の方向、言い換えれば巻き取りばね２３を弛緩させる方向の端部へ向かって漸次深くなり、その最深部が前記被係止部４５ｂと掛合可能な段差状を呈するスパイラル溝１１２が形成されている。なお、このスパイラル溝１１２は、請求項１に記載された係止部に相当するものである。
【００２８】
糸巻本体２におけるボビン２１の内周面には、ゴム状弾性材料からなるパッキン２６が装着されている。このパッキン２６は、ばね芯４１におけるクラッチ盤４１ａの外周部からボビン２１の内周へ延びる円筒部４１ｂの外周面に摺動可能に密接されるシールリップ２６ａを有する。
【００２９】
なお、ケース本体１１における糸巻収納部１１Ａの開口部と、これに着脱自在に設けられたリテーナ１３の外周部との間は、ゴム状弾性材料からなるＯリング１４で密封されており、リテーナ１３の内周の軸孔１３ｂと、これに挿通された糸巻本体２におけるばねケース２２の中心軸２２ｂとの間は、ゴム状弾性材料からなるＯリング２７で密封されており、ケース本体１１の側壁１１１に開設された軸孔１１１ａと、これに挿通されたチャージハンドル４２の中心軸４２ａとの間は、ゴム状弾性材料からなるＯリング４８で密封されている。
【００３０】
図３及び図５に一点鎖線で示されるように、糸案内部１１Ｂの内室には、スポンジ、綿、あるいはフェルト等からなる墨汁吸収体６が充填されている。糸案内部１１Ｂの上部開口１１５は、ゴム状弾性材料からなる蓋１５で開閉可能となっている。この蓋１５は、前記開口１１５に密嵌されるシール部１５ａを有し、一端１５ｂがケース本体１１に固定されている。
【００３１】
図３及び図５に示されるように、糸巻収納部１１Ａの内室と、糸案内部１１Ｂの内室との間を仕切る仕切壁１１３には糸挿通部１１４が設けられており、糸巻本体２におけるボビン２１に巻回された糸３は、糸案内部１１Ｂを通って、この糸案内部１１Ｂ内の墨汁吸収体６と接触しながら、トップ部材１２の糸繰り出し口１２ａからケース１の外部へ導出される。なお、図３及び図５における参照符号１６は、ステンレス鋼等の金属材料からなるガイドピンで、糸案内部１１Ｂ内を通る糸３は、このガイドピン１６に接触する位置を経由するようになっている。
【００３２】
ケース１における墨汁タンク１１Ｃに設けられたポンプ装置５は、半球ドーム状のダイアフラム５１と、ポンプハウジング５２と、これに取り付けられた吸入弁５３及び吐出弁５４と吸入ノズル５５及び吐出ノズル５６からなる。そしてこのポンプ装置５は、ゴム状弾性材料からなるダイアフラム５１を手指で反復変形させることによって、ダイアフラム５１の内側のポンプ室５ａが拡縮され、これに伴って、墨汁タンク１１Ｃ内の墨汁が、吸入弁５３、ポンプ室５ａ、及び吐出弁５４を介して、糸巻収納部１１Ａ内の糸巻２のボビン２１に巻装された糸３に供給される。
【００３３】
墨汁タンク１１Ｃには、ポンプ装置５のダイアフラム５１と隣接する位置に開設され密栓部材５１ａで開閉される墨汁注入孔１１７から、所定量の墨汁を封入することができる。密栓部材５１ａはゴム状弾性材料からなり、細い連結部５１ｂを介してダイアフラム５１と連続して成形されたものである。
【００３４】
図５に示されるように、トップ部材１２の糸繰り出し口１２ａには、かるこ７を挿入状態に係止することができる。そしてこのかるこ７には、糸巻本体２のボビン２１から引き出された糸３の先端が繋着されている。
【００３５】
図６は、かるこ７の構造を示す断面図である。すなわちこの図６に示されるように、かるこ７は、合成樹脂製の中空の柄７１と、この柄７１に着脱可能に固定された合成樹脂製の頭部７２と、インサート成形によって基部７３ａが頭部７２に埋設一体化され先端７３ｂ側が柄７１の先端内周７１ａから所定長さ突出した金属製の刺着針７３と、ピストン部７４ａが柄７１の内周に摺動自在に支持されて刺着針７３の外周を包囲する合成樹脂製の円筒状の保護筒７４と、この保護筒７４を柄７１の内周から外部へ押し出すように付勢する金属製のコイルスプリング７５とからなる。
【００３６】
かるこ７における保護筒７４は、刺着針７３の先端７３ｂが完全に隠れる位置よりも外側へは移動できないように、ピストン部７４ａと柄７１の先端内周７１ａの干渉によって抜け止めされている。そして、糸３は、保護筒７４の先端からその内周を通って、先端に形成した結び玉３ａが、この保護筒７４の周壁の一部に開設した糸結合孔７４ｂに繋着されている。また、保護筒７４の先端には、複数のガイド溝７４ｃが形成されている。
【００３７】
上述の構成を有する墨壷による墨打ち（線引き）を行う場合は、まず糸巻本体２のボビン２１に巻装された糸３に、適量の墨汁を供給し、付着させておく。この墨汁供給は、ポンプ装置５のダイアフラム５１を手指で所要回数押すことにより行う。
【００３８】
ケース本体１１における糸巻収納部１１Ａの開口部とリテーナ１３の外周部との間はＯリング１４で密封され、リテーナ１３の内周の軸孔１３ｂとこれに挿通されたばねケース２２の中心軸２２ｂとの間はＯリング２７で密封され、ケース本体１１の側壁１１１に開設された軸孔１１１ａとこれに挿通されたチャージハンドル４２の中心軸４２ａとの間は、Ｏリング４８で密封されているので、ボビン２１に巻装された糸３から墨汁が滴り落ちたような場合、この墨汁が糸巻収納部１１Ａからケース１の外部へ漏れるようなことはない。
【００３９】
また、糸巻本体２におけるボビン２１とばねケース２２は全周が一体的に溶着Ｗｄ又は接着され、ボビン２１と、ばね芯４１における円筒部４１ｂとの間は、パッキン２６で密封されているので、巻き取りばね２３が収納されたばね収納部２２ａは完全に密閉されているため、糸巻収納部１１Ａから墨汁やダストなどがばね収納部２２ａへ侵入するようなことがなく、したがって、これら墨汁やダストなどがばね収納部２２ａ内で固まって、巻き取りばね２３の動作不良の原因となるようなことがなく、糸巻本体２の円滑な作動性が確保される。
【００４０】
図７は、墨壷による墨打ち作業を示す説明図である。すなわち、この墨打ち作業においては、まず、かるこ７の刺着針７３を、相手材（木材）Ｗの表面における墨打ちの一方の起点に刺着する。このとき、刺着針７３が相手材Ｗに刺し込まれるのに伴って、保護筒７４は図６に示されるコイルスプリング７５を圧縮しながら柄７１へ没入することになる。そして、このコイルスプリング７５の圧縮反力によって、保護筒７４がその先端のガイド溝７４ｃを通っている糸３を、相手材Ｗに押し付ける。
【００４１】
次に、ケース１を墨打ちの他方の起点へ向けて移動させると、糸巻本体２の回転を伴いながら、そのボビン２１に巻かれた糸３が、ケース１の移動距離分だけ繰り出されて行く。この糸３は、糸案内部１１Ｂを通って繰り出される過程で、この糸案内部１１Ｂ内の墨汁吸収体６に摺接するので、糸３に付着した墨汁のムラが均され、すなわち均一に墨汁が付着した状態となる。
【００４２】
また、上述した糸３の繰り出しに伴って、ボビン２１が糸３の繰り出し方向へ回転されるのに対し、同方向へのばね芯４１の回転は、ワンウェイクラッチをなすクラッチ部材４３とクラッチ盤４１ａの掛合によって阻止されるので、巻き取りばね２３がボビン２１の回転に伴ってばね芯４１に巻き込まれ、蓄勢される。
【００４３】
ケース１は、ホルダ１１Ｄに人差し指を挿入して、あたかも拳銃を握るように墨汁タンク１１Ｃから糸巻収納部１１Ａにかけての部分を片手でしっかり握ることができるため、移動の過程でケース１を過って落とすようなことを、有効に防止することができる。
【００４４】
ケース１を墨打ちの他方の起点まで移動させたら、このケース１のトップ部材１２の糸押え１２ｂの先端で糸３を押止することによって、糸３をかるこ７との間に張設する。このとき、図７に示されるように、ホルダ１１Ｄに取り付けられたゴム状弾性材料からなる滑り止め１１ａを、相手材Ｗに押し付けるようにすることで、ケース１を容易に位置決めして糸３に適当なテンションを与えることができる。そして、このようにして張設した糸３を、相手材Ｗの表面に向けて指ではじいて打ち付けることによって、直線状の墨線を転写することができる。
【００４５】
墨打ち作業終了後は、かるこ７を相手材Ｗから引き抜けば、糸３の繰り出し過程で蓄勢された巻き取りばね２３の弛緩動作によって、糸巻本体２が巻き取り方向に回転するため、糸３は、かるこ７がトップ部材１２の糸繰り出し口１２ａに半収納状態に係止されるまで、ボビン２１に自動的に巻き取られる。
【００４６】
このとき、相手材Ｗから引き抜かれたかるこ７が勢い良く飛来しても、その刺着針７３は、図６に示されるコイルスプリング７５で押し出された保護筒７４に包囲されており、しかも、ケース１を握っている手は、最も前にある人差し指が、ホルダ１１Ｄに挿入されることにより、このホルダ１１Ｄで保護されているので、安全である。
【００４７】
図５に示されるように、かるこ７がトップ部材１２の糸繰り出し口１２ａに半収納状態に係止されるまで、糸３をボビン２１に完全に巻き取った状態、あるいは図７に示されるように糸３を張設した状態においては、ばねチャージ部４によって、巻き取りばね２３の付勢力を任意に調整することができる。この調整においては、チャージハンドル４２に設けられたレバー４５の操作端部４５ａを、チャージハンドル４２の指掛け孔４２ｂ内に挿入した指先で押圧すれば、このレバー４５は、図４に示される支持軸４５ｃを中心として、コイルスプリング４７を圧縮する方向へシーソー運動し、その被係止部４５ｂが、ケース本体１１の側壁１１１に形成されたスパイラル溝１１２の最深部から浮上して、この最深部との掛合が解除されるので、そのまま、指掛け孔４２ｂ内に挿入した指先でチャージハンドル４２を巻き取りばね２３の蓄勢又は弛緩方向へ任意に回転させることができる。
【００４８】
したがって、従来のように、チャージハンドルから係止ピンを突出させて、これを手指で摘んでチャージハンドルを回転させるものに比較して、操作が著しく容易になる。
【００４９】
また、チャージハンドル４２の指掛け孔４２ｂから手指を離せば、チャージハンドル４２は巻き取りばね２３の弛緩方向へ回転する。しかし、このとき同時に、手指によるレバー４５の操作端部４５ａの押圧が解除されるので、このレバー４５はコイルスプリング４７の付勢力により、被係止部４５ｂがケース本体１１の側壁１１１に形成されたスパイラル溝１１２へ押し付けられる方向へシーソー運動する。このため、チャージハンドル４２の回転過程で、スパイラル溝１１２の最深部と掛合され、弛緩方向へのチャージハンドル４２の回転が阻止される。したがって、指掛け孔４２ｂから手指を離してから、チャージハンドル４２は最大でも１回転しか回転せず、巻き取りばね２３の弛緩を最小限に抑えることができる。
【００５０】
なお、上述した実施の形態は、本発明の糸巻装置を、墨壷について適用したものであるが、例えば墨汁の代わりに着色粉体を糸に付着させて線引きを行う線引き具や、線引きを行わない糸の張設具（白糸巻）等についても、本発明を同様に適用することができる。
【図面の簡単な説明】
【００５１】
【図１】本発明に係る糸巻装置を墨壷に適用した好ましい実施の形態を示す墨壷の一側面図である。
【図２】本発明に係る糸巻装置を墨壷に適用した好ましい実施の形態を示す墨壷の他側面図である。
【図３】図１におけるIII−Ｏ−III’線に沿って切断した断面図である。
【図４】実施の形態による墨壷の要部の構造を示す断面図である。
【図５】図３におけるＶ−Ｖ’線に沿って切断した断面図である。
【図６】かるこの構造を示す断面図である。
【図７】実施の形態による墨壷を用いた墨打ち作業を示す説明図である。
【符号の説明】
【００５２】
１  ケース
１１  ケース本体
１１Ａ  糸巻収納部
１１Ｄ  ホルダ
１１２  スパイラル溝（係止部）
１２  トップ部材
２  糸巻本体
２１  ボビン
２２  ばねケース
２２ａ  ばね収納部
２３  巻き取りばね
２４  巻き取りハンドル
２６  パッキン
２６ａ  シールリップ
３  糸
４  ばねチャージ部
４１  ばね芯
４１ａ  クラッチ盤
４２  チャージハンドル
４２ｂ  指掛け孔
４３  クラッチ部材
４５  レバー
４５ａ  操作端部
４５ｂ  被係止部
４５ｃ  支持軸
４７  コイルスプリング（弾性体）
【図１】
2006043800.tif 000003
【図２】
2006043800.tif 000004
【図３】
2006043800.tif 000005
【図４】
2006043800.tif 000006
【図５】
2006043800.tif 000007
【図６】
2006043800.tif 000008
【図７】
2006043800.tif 000009
【手続補正書】
【提出日】平成16年9月14日(2004.9.14)
【手続補正１】
【補正対象書類名】図面
【補正対象項目名】全図
【補正方法】変更
【補正の内容】
【図１】
2006043800.tif 000010
【図２】
2006043800.tif 000011
【図３】
2006043800.tif 000012
【図４】
2006043800.tif 000013
【図５】
2006043800.tif 000014
【図６】
2006043800.tif 000015
【図７】
2006043800.tif 000016